(57)【特許請求の範囲】
【請求項１】
プローブシャフトと、
前記プローブシャフトに設けられた接触部と、
前記プローブシャフトに設けられた動吸振器と、
を備えたプローブであって、
前記動吸振器は、ばね要素と磁気式のダンパ要素と補助質量体を、前記プローブシャフトの外周に備えていることを特徴とするプローブ。
【請求項２】
前記動吸振器は、
磁石の磁極の方向がプローブシャフトの長手方向に沿うように前記プローブシャフトの外周に設けられた磁石ユニットと、
前記プローブシャフトに一端が支持されたばね要素と、
前記磁石ユニットの外周に、前記ばね要素を介して前記長手方向に沿うように前記プローブシャフトに対して移動可能に配置された導体かつ非磁性体からなる補助質量体、
を備えていることを特徴とする請求項１記載のプローブ。
【請求項３】
前記磁石ユニットは筒状の永久磁石からなることを特徴とする請求項１または２に記載のプローブ。
【請求項４】
前記補助質量体は筒状であることを特徴とする請求項１乃至３のいずれか１項記載のプローブ。
【請求項５】
前記補助質量体の一部が銅あるいはアルミニウムであることを特徴とする請求項１乃至４のいずれか１項記載のプローブ。
【請求項６】
前記補助質量体がプローブシャフトの長手方向に対して交差する方向に移動することを制限するガイドが設けられたことを特徴とする請求項１乃至５のいずれか１項記載のプローブ。
【請求項７】
前記ガイドの一部または全部が絶縁材料より構成され、ガイドと補助質量体が電気的に絶縁された状態に構成されていることを特徴とする請求項１乃至６のいずれか１項記載のプローブ。
【請求項８】
前記絶縁材料はフッ素樹脂であることを特徴とする請求項７記載のプローブ。
【請求項９】
磁石ユニットと補助質量体の各々の表面に対して、少なくとも一方にコーティングあるいは摺動材が設けられていることを特徴とする請求項１乃至８のいずれか１項記載のプローブ。
【請求項１０】
前記ばね要素は、円筒コイルばね、あるいは板ばね、あるいはねじりばね、あるいは円錐コイルばねであることを特徴とする請求項１乃至９のいずれか１項記載のプローブ。
【請求項１１】
前記磁石ユニットは複数の筒状の永久磁石のうち、少なくとも２つが同じ磁極同士を互いに対向して構成されていることを特徴とする請求項２記載のプローブ。
【請求項１２】
前記複数の筒状の永久磁石のうち、少なくとも２つが同じ磁極同士を互いに対向して構成された永久磁石の間に、第一のヨークが配されていることを特徴とする請求項１１記載のプローブ。
【請求項１３】
前記磁石ユニットから生じる磁場の一部を覆うように第二のヨークが設けられており、第二のヨークは、ハウジングを介して、前記プローブシャフトに固定されていることを特徴とする請求項１１または１２記載のプローブ。
【請求項１４】
前記補助質量体は筒状であり、前記補助質量体の内径が銅で形成されており、かつ前記補助質量体の外径がアルミニウムで形成されていることを特徴とする請求項１乃至１３のいずれか１項記載のプローブ。
【請求項１５】
被測定面にプローブを接触させて走査するとともに、前記プローブの位置を計測することで前記被測定物の形状を計測する形状測定装置であって、
前記プローブは請求項１乃至１４のいずれか１項記載のプローブであることを特徴とする形状測定装置。
【発明の詳細な説明】
【技術分野】
【０００１】
本発明は、光学素子や光学素子を製造するための成形用金型の表面形状を高精度に測定するためのプローブに関する。特に、動吸振器型のプローブ、および動吸振器型のプローブを備えた形状測定装置に関する。
【背景技術】
【０００２】
光学製品の高機能化に伴って、光学製品に組み込まれるレンズやミラーと言った光学素子は、ますます高精度化している。高精度な光学素子を製造するために、その表面形状を高精度に測定することが求められている。また、光学素子を直接測定する手法に加えて、低コストに大量に製造する方法として成形加工も広く行われている。この場合は、成形用金型を高精度に測定することが求められている。光学素子や成形用金型を測定するために、プローブを備えたプローブ式形状測定装置が普及している。プローブ式形状測定装置は、プローブシャフトの先端部を被測定面に接触させて走査するとともに、プローブシャフトの後端の位置情報を時系列に取得することで被測定面の表面形状を測定する装置である。プローブシャフトの形状は直線状のものやＬ字状のものがよく使われている。プローブシャフトは先端のたわみなどの原因で、走査中にプローブシャフトの長手方向に微小な振動が生じる。このプローブシャフトの振動は測定誤差の要因になるので、形状測定精度をより一層高精度にするためには、プローブシャフトの振動を低減することが有効である。
【０００３】
プローブシャフトの振動を低減する技術として、特許文献１には、サブμｍオーダーの測定精度を達成するために、プローブシャフトとプローブシャフトを支持しているプローブハウジングとの間に磁気ダンパを取り付ける方法が開示されている。プローブハウジングは、プローブシャフトを走査するためのプローブステージに取り付けられている。このように構成すれば、プローブシャフトの挙動はプローブステージの挙動に連動するようになる。そして、プローブステージが正確に動作していれば、プローブシャフトの振動を低減することができる。
【０００４】
しかしながら、プローブステージの挙動が正確でない場合、プローブシャフトの振動を低減する効果は薄れてしまう。つまり、プローブステージの動作性能が、プローブシャフトの振動低減の限界を決めてしまうことになる。通常、プローブステージは、プローブシャフトに比べて重く、サブμｍ以上の振動や動作遅れが生じやすい。よって、特許文献１の方法では、形状測定精度をより一層高精度にすることが難しい。
【０００５】
プローブステージの挙動の影響を抑え、プローブシャフトの振動を低減するため、特許文献２にプローブシャフトの内部にばね要素と、摩擦材や粘性流体を使ったダンパ要素、重鎮からなる動吸振器を組み込む方法が開示されている。特許文献２は、同じくサブμｍオーダーの測定精度を達成することを目的とし、一例として、重錘（動吸振器の補助質量体）の質量を３ｇとする実施例が記載されている。
【０００６】
形状測定精度の高精度化のために、プローブシャフトの揺動方向の振動を１００ｎｍ以下に低減することが求められるようになってきた。一般的に、プローブシャフトの振動を低減するためには、プローブシャフトを軽量にすることが有効である。また一般的な動吸振器の設計事例として、制振対象であり、主質量体であるプローブシャフトと、補助質量体との質量比（「補助質量体の質量」／「主質量体の質量」）を０．０５から０．３０の間に設定することが多い。
【０００７】
これは、質量比が小さすぎると、動吸振器の減衰特性が低いためである。また、質量比が大きすぎると、ダンパ要素に求められるダンパ定数（ダンパ要素の減衰係数）が大きく、大型の重いダンパ要素が必要になるためである。つまり、適切な質量比を考慮して、プローブシャフトを軽量にしようとすると、それに合わせて補助質量体も軽量にしなければならない。
【０００８】
動吸振器は、補助質量体が主質量体（プローブシャフト）に対して相対的に動作することで、主質量体の振動を低減する原理である。補助質量体が主質量体に対して相対的に動作するのは、補助質量体の質量に由来する慣性力がかかるためである。補助質量体が軽量になると、補助質量体にかかる慣性力が小さくなる。
【先行技術文献】
【特許文献】
【０００９】
【特許文献１】特開２００５−１３４３３２
【特許文献２】特開２００４−６１４６２
【発明の概要】
【発明が解決しようとする課題】
【００１０】
特許文献１に記載の技術では軽量化以前に、上述のように振動の低減能力にそもそも限界があった。また、特許文献２に開示されているばね要素と、摩擦材や粘性流体を使ったダンパ要素、重鎮からなる動吸振器を内部に組み込んだプローブシャフトに注目し、軽量化を図ろうとすると次のような問題が生じる。プローブシャフトを軽量にすると、それに合わせて補助質量体も軽量にする必要があり、補助質量体にかかる慣性力が小さくなる。
【００１１】
摩擦材を使ったダンパ要素は静止摩擦が大きいので、補助質量体にかかる慣性力が小さいと、補助質量体が摩擦材にくっついたままで動かなくなる（微小な力に対する不感帯の存在）。
【００１２】
また、同じく特許文献２に記載の粘性流体を使ったダンパ要素は、プローブシャフトと補助質量体との中間材として粘性流体を封入するが、粘性流体の質量がそもそも大きい。そのため、補助質量体にかかる慣性力が小さいと、補助質量体が質量体として働かなくなり、動かなくなってしまう。
【００１３】
上記のように、高精度な光学素子の製造に必要なほどの測定精度を達成するためには、補助質量体を軽量にする必要がある。しかし、摩擦材や粘性流体を使ったダンパ要素では、軽量な補助質量体にかかる微小な慣性力には、反応しづらいという問題が生じる。
【００１４】
さらに次のような問題もある。
【００１５】
特許文献２には、一例として補助質量体が３ｇである実施例が記載されている。プローブ式形状測定装置の技術水準に照らして、「補助質量体の質量」／「主質量体の質量」の比が０．０５から０．３であるならば、プローブシャフトは少なくとも１０ｇ以上の重さである。
【００１６】
仮にプローブシャフトが１０ｇ以上であれば、補助質量体を内部に組み込んだ上で、プローブシャフトの壁を厚くするなどして、十分に高剛性に構成することができる。しかし、さらなる高精度化のためプローブシャフトを軽量にする場合、プローブシャフトの壁を厚くすることにも限界がある。プローブシャフトを例えば３ｇ以下にしようとすると、プローブシャフトの壁が薄くなり過ぎて、十分な剛性を保つことができない。
【００１７】
このように、特許文献２に記載のようにプローブシャフトの内部に補助質量体を組み込む構成では、プローブシャフトを軽量にしようとすると、プローブシャフトの壁が薄くなって十分な剛性を保てないという問題が生じる。
【００１８】
そこで、高精度な光学素子の製造に必要なほどの測定精度を達成するために、以下の性質を備えたプローブを提供する。すなわち、軽量なプローブシャフトながら、プローブシャフトの剛性を保ち、軽量な補助質量体の微小な慣性力（微小な力）にも反応し、これにより、プローブシャフトの振動をより一層低減できるプローブを提供する。
【課題を解決するための手段】
【００１９】
上記目的を達成するために、本出願に係る発明は、プローブシャフトと、
前記プローブシャフトに設けられた接触部と、
前記プローブシャフトに設けられた動吸振器と、
を備えたプローブであって、
前記動吸振器は、ばね要素と磁気式のダンパ要素と補助質量体を、前記プローブシャフトの外周に備えていることを特徴とするプローブである。
【発明の効果】
【００２０】
本発明によれば、プローブシャフトの内部に物体を組み込む必要がない。そのため、プローブシャフトを軽量にしても、補助質量体の大きさ、あるいは磁気ダンパ（磁石ユニットや導体）の大きさによらず、十分な剛性を保つことができる。そして、十分に高剛性なプローブシャフトの形状を定めた上で、磁気ダンパの構成を定めることができる。すなわち、プローブシャフトの剛性と磁気ダンパの質量を独立に考えることができる。
【００２１】
磁気ダンパは、非接触に振動を減衰するので、大きな静止摩擦を生じない。また、大きな質量の中間材を必要としない。そのため、軽量な補助質量体の微小な慣性力であっても反応しやすい。
【００２２】
以上のように、軽量なプローブシャフトとしながら、プローブシャフトの剛性を保ち、さらに、軽量な補助質量体の微小な慣性力にも反応することができる。よって、プローブシャフトの振動をより一層低減できるプローブを実現できる。
【図面の簡単な説明】
【００２３】
【図１】本発明の第一実施例に係わるプローブの構成図である。
【図２】本発明の第二実施例に係わるプローブの構成図である。
【図３】本発明のプローブのコイルばねの構成図である。
【図４】本発明のプローブの補助質量体の構成図である。
【図５】本発明の形状測定装置の構成図である。
【図６】本発明のプローブの減衰係数を計算した図である。
【図７】本発明のプローブの効果を実験で示した図である。
【図８】磁気ダンパの原理図である。
【発明を実施するための形態】
【００２４】
本発明を実施するための形態を図面に基づいて説明する。
【００２５】
≪第一の実施例≫
図１（ａ）、および図１（ｂ）は、本発明の第一実施例に係わるプローブの構成図である。
【００２６】
図１（ａ）、および図１（ｂ）に係るプローブは、後述するようにばね部材の配置が異なっている。まず図１（ａ）に関し、プローブの構成を具体的に説明する。本実施形態のプローブは、プローブシャフトと、そのプローブシャフトに設けられた接触部と、プローブシャフトに設けられた動吸振器とを備えたプローブである。そして、前記動吸振器は、ばね要素と磁気式のダンパ要素と補助質量体を、プローブシャフトの外周に備えているプローブである。
【００２７】
プローブ１０は主要な構成要素として、プローブシャフト１１と接触部としてのスタイラス１２、および本実施形態に特徴的な動吸振器を備えている。動吸振器は後述するように、ばね要素と磁気式のダンパ要素と補助質量体から成る。動吸振器は磁気式のダンパ要素を備えているため、摩擦材や粘性流体を使ったダンパ要素と異なり、プローブシャフト１１の長手方向に対するプローブの微小な振動（微小な力）に対しても敏感にダンピング機能を発揮することできる。
【００２８】
プローブシャフト１１の先端にはスタイラス１２が取り付けられている。また、後端にはターゲットミラー１３が取り付いている。ターゲットミラーや接触部としてのスタイラスはプローブシャフトに一体に形成されていてもよい。プローブは、先端のスタイラスを被測定面に接触させつつ走査するとともに、後端のターゲットミラーの位置情報を取得することで被測定面の形状データを取得するように使用される。
【００２９】
プローブ１０は、後述する形状測定装置のプローブステージ３０に、板ばね１４ａ、１４ｂとプローブハウジング１５を介して取り付けられる。
【００３０】
図８を参照して磁気式のダンパ要素について説明する。導体を磁界内で動かすと、渦状の誘導電流（渦電流）が流れ抵抗力が発生する現象が知られている。この現象を利用し、図８に描かれているように、筒状導体に対してその空孔の内部に磁極の方向を筒状導体の長手方向になるように磁石が配置された構成を考える。例えば位置を固定した筒状導体の空孔内にこの磁石を移動させる、あるいは位置を固定した磁石に対して筒状導体を移動させるなど、筒状導体と磁石の相対位置を変化させると、導体の周囲に渦電流が生じる。さらに、この渦電流と磁界との作用で生じるローレンツ力によって磁石および導体は抵抗力を受け、この抵抗力がダンパ要素として機能を発揮する。
【００３１】
プローブシャフト１１の先端と後端の相対的な位置が、形状測定の最中に変化すると測定誤差の要因になる。そのため、高精度な形状測定を実行するためには、プローブシャフト１１の先端と後端の相対的な位置の変化を小さくすることが求められる。つまり、先端と後端をつなぐプローブシャフトが、十分に高い剛性を備えていることが求められる。
【００３２】
また、プローブシャフト自体が重いと、形状測定の最中に振動しやすくなる。プローブシャフトの振動は、測定誤差の要因になるので、プローブシャフトは、十分に軽量であることが求められる。プローブシャフトを、高剛性で軽量に構成するためには、中空または中実の棒状の形状にするのが好ましい。ただし、中空であっても、プローブシャフトの壁は十分な剛性を保てるほど厚くしておく必要がある。プローブシャフトの材料として、チタン、アルミニウム、ステンレス鋼、繊維強化プラスチックなどの比剛性の高い材料を採用すると良い。なお、後述する磁石ユニットが発する磁場への影響を小さくするために、プローブシャフトの材料は非磁性体を用いると良い。
【００３３】
スタイラスの先端は、ダイヤモンドやルビー、セラミック等でできており、その形状は球面に加工されている。また、ターゲットミラー１３の表面は、測長器のレーザー光を反射するために鏡面に仕上げられている。
【００３４】
プローブシャフトは、２枚の板ばね１４ａ、１４ｂを介してプローブハウジング１５に取り付けられている。２枚の板ばねは、図１中に描かれているようにプローブシャフトの長手方向（軸方向Ａ）に動きやすく、軸方向Ａに交差する方向や倒れる方向には動きにくい軸受機構として働く。また、プローブシャフトとプローブハウジングとの軸方向Ａの相対変位に応じた力が発生するばね機構として働く。なお、軸受機構として、空気軸受や転がり軸受など他の機構を採用しても良い。ばね機構として、コイルばねや磁気ばねなど他の機構を採用しても良い。
【００３５】
プローブ１０を構成するプローブシャフトの外周には動吸振器が設けられている。
【００３６】
動吸振器は、磁石の磁極の方向がプローブシャフトの長手方向に沿うようにプローブシャフトの外周に設けられた磁石ユニットを備えている。さらにその動吸振器は、プロ―シャフトに一端が支持されたばね要素と、磁石ユニットの外周に、ばね要素を介して、前記長手方向に沿うようにプローブシャフトに対して移動可能に配置された導体かつ非磁性体からなる補助質量体、を備えている。
【００３７】
動吸振器は、筒状の磁石ユニット１０１を備えている。本実施例において磁石ユニットは、１つの筒状の永久磁石であり、この磁石ユニットの磁極の方向が軸方向Ａに沿った方向となるようにプローブシャフトに対して配置した構成になっている。後述するように、磁石ユニットは２つ、あるいは複数の筒状の永久磁石から構成されても良い。
【００３８】
このような構成にすると、実装スペースの制約があっても、プローブシャフトに沿って、磁極間の距離を比較的長く設計することができる。そのため、永久磁石の反磁場（永久磁石の内部に磁石の磁化方向と反対方向に生じる磁場）の影響を緩和し、高い磁束密度の磁場を展開することができる。なお、使用される永久磁石の種類は、ネオジム磁石やフェライト磁石などが挙げられるが特に制限は無い。特に、ネオジム磁石は、高い磁束密度が得られるので好ましい。
【００３９】
磁石ユニットの外周に、筒状の補助質量体１０２がばね部材１０４とばね押さえ１０５を介してプローブシャフトに対して移動可能に配置されている。なお、補助質量体１０２は、電気抵抗率が小さい導体であり、かつ磁場に吸引しない非磁性体で形成する。
【００４０】
非磁性体の目安として、透磁率が１．３×１０−６Ｈ／ｍ以下であれば問題なく使用できる。この条件を満たす導体であって、かつ非磁性の材料の素材としては、銅、アルミニウム、マグネシウム、黄銅、亜鉛、銀、金、ベリリウムなどが挙げられる。
【００４１】
磁石ユニットの軸方向Ａの両端に筒状のガイド１０３ａ、１０３ｂが取り付けられている。ガイド１０３ａ、１０３ｂはプローブシャフトまたは磁石ユニットに対して固定されている。ガイドは、筒状の補助質量体がプローブシャフトの長手方向（軸方向Ａ）に交差する方向に動くことを制限するように配置されている。このガイドによって、補助質量体が軸方向Ａに沿った方向以外に大きく動くのを制限するとともに、軸方向Ａに沿ってスムーズに移動可能に配置されていることになる。
【００４２】
なお、補助質量体がプローブシャフトの長手方向に交差する方向に移動することを制限する機能を備えていれば、さまざまな形状のガイドを採用して良い。例えば、磁石ユニットの軸方向Ａの両端に取り付ける他に、磁石ユニットの外周に取り付けても良い。あるいは、補助質量体の軸方向Ａの両端や、内周に取り付けても良い。
【００４３】
一方で、図１で例示するように、ガイドを部材として設ける構成は必須ではなく、磁石ユニットの表面、あるいは補助質量体の表面にコーティングをして、コーティング材をガイドとして機能させても良い。あるいは摺動材を設けてもよい。つまり、磁石ユニットと補助質量体の各々の表面に対して、少なくとも一方にコーティングあるいは摺動材が設けるとよい。
【００４４】
また、磁石ユニットの表面あるいは補助質量体の表面が十分な平滑性を備えていれば、ガイドとして機能させてもよい。
【００４５】
ガイド１０３ａ、１０３ｂについてさらに詳しく説明すると、ガイドの外径を、磁石ユニットの外径より少し大きくし、ガイドと補助質量体とを摺動させる構成にすることで、磁石ユニットと補助質量体との隙間をおよそ一定に保つことができる。あるいは、ガイドを補助質量体に取り付けて、ガイドの内径を、補助質量体の内径より少し小さくし、ガイドと磁石ユニットとを摺動させる構成にしても、同様である。磁石ユニットの表面、あるいは補助質量体の表面にコーティングをする構成であっても、同様である。磁石ユニットによって生じる磁場の磁束密度は、磁石ユニットに近いほど高い。そのため、磁石ユニットと補助質量体との隙間を、できるだけ狭くする方が好ましい。ガイドや磁石ユニットの外周、および補助質量体の内周は、機械加工で精度良く製作することができる。また、ガイドの表面をコーティングをすれば、コーティング厚さを数十μｍと薄くすることができる。これにより、例えば、０．１ｍｍと言った狭い隙間で磁石ユニットと補助質量体を配するように構成することも可能である。  なお、“筒状”の形状は、円筒に限らず、多角形であっても良い。
【００４６】
また、ガイドは、筒状の補助質量体の軸方向Ａの動きをできるだけ妨げないように、低摩擦な特性を有するようにする。そのためには、ガイドの高さを低くしたり、切れ目を入れたりして、補助質量体との接触面積を小さくすると良い。ガイドを摩擦係数の小さい材料で製作するとなお良い。または、摩擦係数の小さい材料を貼り合わせたり、表面にコーティングをしたりすると良い。ガイドだけでなく、補助質量体も摩擦係数の小さい材料を貼り合わせたり、表面にコーティングをしたりするとなお良い。
【００４７】
磁石ユニットの表面、補助質量体の表面にコーティングをして、コーティング材をガイドとする場合も、摩擦係数の小さい材料でコーティングをすれば低摩擦なガイドにできる。
【００４８】
なお、ガイドと補助質量体とは、電気的に絶縁された状態とする。つまり、ガイドを電気の通しにくい絶縁材料で製作する。
【００４９】
摩擦係数の小さい材料で、かつ電気を通しにくい絶縁材料として、フッ素樹脂などのプラスチック材が挙げられる。ガイドにおける摺動する箇所のみをフッ素樹脂などのプラスチック材で形成してもよい。このようにガイドの一部または全部が絶縁材料より構成され、ガイドと補助質量体が電気的に絶縁された状態に構成されているとよい。
【００５０】
ガイドと補助質量体との垂直抗力を小さく保つと良い。そのために、補助質量体には、室温で強磁性を示す磁性体（例えば鉄（Ｆｅ）など）を取り付けないようにする。このように構成することで、補助質量体は磁石ユニットの磁場の作用で磁力ユニットに吸引されることはない。つまり、ガイドと補助質量体との間の垂直抗力を小さく保つことができ、結果としてガイドと補助質量体の互いに働く摩擦力が小さい構成とすることができる。
【００５１】
なお、同じく低い摩擦特性という観点から、後述するばね部材１０４は、軸方向Ａに力を加えるが、軸方向Ａに交差する方向への力は小さい構成とするとよい。
【００５２】
以上のように、接触面積や摩擦係数、垂直抗力を小さくすることで、低摩擦な特性を有するようにできる。つまり、軽量な補助質量体であっても低摩擦なガイドに沿ってスムーズに動くことができる。
【００５３】
プローブシャフトと補助質量体は、軸方向Ａに伸縮するばね部材１０４を介して連結されている。プローブシャフトにはばね押さえ１０５が固定されており、ばね部材１０４は、このばね押さえを介してプローブシャフトの軸方向Ａに沿って伸縮可能に支持されている。軸方向Ａがおよそ鉛直である場合、ばね部材を補助質量体の重力下側に配置すれば、重力の作用で補助質量体がばね部材に押し込まれる。この場合、ばね部材に加わる予圧は補助質量体にかかる重力（重さ）である。補助質量体は比較的軽いので、ばね部材に加わる予圧も小さいため以下の観点でこの構成は有利である。
【００５４】
図１（ａ）および後述する図１（ｂ）において、ばね部材は軸方向Ａに平行に補助質量体を支持しているように描かれているが、現実には、完全に平行に支持しているわけではない。すなわち、補助質量体を少し斜め方向に支持しており、軸方向Ａに対して垂直する方向の力成分が存在する。この軸方向Ａに対して垂直な方向の力成分が、上述した垂直抗力として作用し、ガイドの外周と補助質量体の内周の接触する箇所における摩擦力を生じさせる。したがって、ばねにかかる予圧が小さいほど、前述したガイドにかかる垂直抗力も小さく保つことができるため摩擦力の低減の観点から有利である。なお、ばね部材を補助質量体の重力上側に配置して引っ張り方向で使う構成にしても同様である。
【００５５】
ばね部材を片側から支持する構成について説明したが、図１（ｂ）に示す通りばね部材を両側に配置して両側から支持することもできる。図１（ｂ）において、プローブシャフトに支持されたばね押さえ１０５ａに対してばね部材１０４ａが配されており、同じくプローブシャフトに支持されたばね押さえ１０５ｂに対してばね部材１０４ｂが配されている。
【００５６】
この場合、ばね部材の自然長からの押し込み量、あるいは引っ張り量を小さくすれば、予圧を小さくできる。
【００５７】
なお、ばね部材を引っ張り方向で使う構成の場合、ばね押さえや補助質量体に固定したり、接着したり、引っかけたりする必要がある。一方で、ばね部材を圧縮方向で使う構成は、複雑な構成を必要とせず、簡易に実現できる。
【００５８】
ばね部材の形は、弾性体の復元力を利用したものであれば、様々な形であっても良い。特に、線状の弾性体をらせん状に形作ったコイルばねは、長尺のプローブシャフトに沿って配置できるため好ましい。
【００５９】
なお、コイルばねの座屈を防ぐために、コイルばねの内側または外側に、不図示のばねガイドを備えても良い。ばね要素としては、コイルばねの他に、板ばねやねじりばね等でも構成することができる。
【００６０】
また、磁石ユニットが発する磁場への影響を小さくするために、ばね要素は非磁性体とすると良い。弾性体かつ非磁性体の素材として、非磁性ステンレス鋼、リン青銅、ベリリウム銅、チタン等がよく使われる。
【００６１】
磁石ユニット１０１が備わっているプローブシャフト１１と、導体からなる補助質量体１０２の位置が軸方向Ａに相対的に変化すると、その相対的な速度に応じた渦電流が補助質量体１０２に流れ、位置の変化を打ち消すような方向に力が生じる。すなわち、動吸振器を構成するダンパ要素（振動を減衰させる機構）として機能する。
【００６２】
このような磁気ダンパは非接触で力が生じる。したがって従来の技術である摩擦材を使ったダンパを用いた動吸振器と異なり、大きな静止摩擦を生じない。また、従来の技術である粘性流体を使ったダンパを用いた動吸振器と異なり、中間材を必要としない。よって、主質量体としてのプローブシャフトと補助質量体とのナノメートルオーダーの微小な変位に対して、それに応じた力を生じさせることができる。
【００６３】
また、図１（ａ）や図１（ｂ）に示したとおり、筒状の磁石の外周に、筒状の導体（補助質量体１０２）を配置する構成である。補助質量体が磁石ユニットに対して変位する際に、渦電流が筒状の補助質量体の円周方向に流れる。渦電流が補助質量体の円周方向に流れる構成であるので、渦電流が流れる距離を長くできる。さらに、渦電流が流れている箇所は、磁石ユニットの近傍であるので、高い磁束密度の磁場が広がっている空間である。よって、強いローレンツ力が生じるので、高効率な磁気ダンパにすることができる。
【００６４】
ばね部材１０４には、プローブシャフト１１と補助質量体１０２の相対変位に応じた復元力が生じる。すなわち、動吸振器を構成するばね要素（復元力を発生する機構）として機能する。
【００６５】
弾性体の復元力を利用したばねであるので、プローブシャフトと補助質量体とのナノメートルオーダーの微小な相対位置の変動であっても、それに応じた力を生じさせることができる。
【００６６】
本実施形態では図１（ａ）についていえば、プローブシャフト１１、スタイラス１２、ターゲットミラー１３磁石ユニット１０１、ガイド１０３ａ、１０３ｂ、ばね押さえ１０５が一体として制振対象である主質量体として機能する。そして、他方で補助質量体１０２が、動吸振器の補助質量体として機能する。
【００６７】
このように、本実施形態のプローブは、主質量体と補助質量体とが、磁気ダンパとばねで連結された動吸振器を構成している。この動吸振器の構成によって、補助質量体が主質量体の振動を打ち消すように働き、主質量体の振動を低減することができる。すなわち、プローブシャフトの振動を低減することができる。
【００６８】
本発明によれば、プローブシャフトの内部に物体を組み込む必要がない。そのため、プローブシャフトを軽量にしても、補助質量体の大きさ、あるいは磁気ダンパ（磁石ユニットや導体）の大きさによらず、十分な剛性を保つことができる。そして、十分に高剛性なプローブシャフトの形状を定めた上で、磁気ダンパの構成を定めることができる。すなわち、プローブシャフトの剛性と磁気ダンパの質量を独立に考えることができる。
【００６９】
さらに、磁気ダンパは、非接触に振動を減衰するので、大きな静止摩擦を生じない。また、大きな質量の中間材を必要としない。そのため、軽量な補助質量体の微小な慣性力であっても反応しやすくなる。
【００７０】
以上のように、軽量なプローブシャフトながら、プローブシャフトの剛性を保ち、さらに、軽量な補助質量体の微小な慣性力にも反応することができる。よって、プローブシャフトの振動をより一層低減できる動吸振器型のプローブを実現できる。磁石ユニットの外周に導体を配置する構成にしているので、必要なダンパ定数を発揮する磁気ダンパを軽量に実現できる。つまり動吸振器を構成するダンパ要素に関して高い減衰特性と軽量の両方の要件を満たすことができる。これにより、動吸振器型のプローブを、さらに軽量に構成できるので、プローブシャフトの振動をより一層低減することができる。
【００７１】
≪第二の実施例≫
図２（ａ）は、本発明の第二実施例に係わるプローブの構成図である。
【００７２】
第一実施例に係わるプローブとは、動吸振器を構成する磁気式のダンパ要素の構造が異なる。第一実施例に係わるプローブと共通な要素には共通の番号を付し、説明を省略する。第一実施例と同じく、ばね部材を片側から支持する構成と、ばね部材を両側に配置して両側から支持する構成のどちらを選んでもよい。以下では片側から支持する構成を中心に説明する。
【００７３】
図２（ｂ）には第二実施例にかかる磁石ユニットの周辺の斜視図を示した。
【００７４】
磁石ユニット２０１は、筒状の内ヨーク２０１ｃ（第一のヨーク）を介して、２つの筒状の永久磁石２０１ａ、２０１ｂを同じ磁極が対向するように配置する。すなわち磁石ユニットは複数の筒状の永久磁石の同じ磁極同士を互いに対向させて配置することによって構成されている。
【００７５】
なお、図２（ａ）においては、２つの筒状の永久磁石のＮ極同士が対向するように配置されているがＳ極同士を対向させて配置しても良い。このように配置すると、２つの永久磁石の磁場が互いに反発し合うことで、筒状の内ヨーク２０１ｃの外周に高い磁束密度の磁場を出やすくなる。これにより、小さな磁石ユニットであっても高い磁束密度を得ることができる。つまり単位質量あたりに高い磁束密度の磁場を発生させることができるので、さらに軽量な磁石ユニットを構成できる。
【００７６】
また、永久磁石２０１ａ、２０１ｂが互いに対面する面については、内側から外側に向かって開口が大きくなるように段差またはテーパーを付けても良い。開口に嵌合するように、内ヨークの内側の高さを外側の高さよりも小さくし、永久磁石の内側の高さを外側の高さよりも大きくする。このように構成すると、磁場が外周に出やすくなるので、高い磁束密度を得ることができる。磁束密度を高くできるので、さらに軽量な磁石ユニットを構成できる。
【００７７】
なお、内ヨークの内径を永久磁石の内径より大きくしても磁気ダンパの性能を極端に低下させることはないので、内ヨークの内径を永久磁石の内径よりも少し大きくしておくと、プローブシャフトに取り付ける際のガタを生じ難くすることができる。
【００７８】
２つの永久磁石の同じ磁極同士を対向する構成について説明したが、３つ以上の筒状の永久磁石を、プローブシャフトに沿って装着し、互いの磁極同士が対向する構成としても良い。
【００７９】
たとえばＳ−Ｎ、Ｎ−Ｓ、Ｓ−Ｎというように構成すると良い。この場合は、複数の筒状の永久磁石のうち、少なくとも２つの同じ磁極同士を互いに対向して構成された永久磁石の間に内ヨーク（第一のヨーク）が配される。
【００８０】
補助質量体１０２の外周に、さらに外ヨーク２０６（第二のヨーク）を配置する。外ヨークは、ハウジング２０５を介して、プローブシャフトと一体に構成されている。なお、磁石ユニットはプローブシャフトに備わっており、外ヨークは磁石ユニットから生じる磁場の一部を覆うように構成されている。
【００８１】
外ヨークが備わることで、磁石ユニットから生じる磁場が遠方まで広がるのを防ぎ、高い磁束密度の磁場となる。磁束密度を高くできるので、さらに軽量な磁石ユニットを構成できる。
【００８２】
なお、ハウジングは、ばね押さえ１０５の機能を兼ねると良い。
【００８３】
外ヨークの軸方向Ａの長さは、軽量で十分な効果が得られる長さに調整すると良い。また、ハウジングの材料として、プラスチック材などの軽量な材料を採用すれば、全体の質量増加を抑えることができる。
【００８４】
ここで、外ヨークが、補助質量体と一体となるような構成にはしない。外ヨークと補助質量体とが一体に構成されると、磁石ユニットが補助質量体を強く吸引してしまう。こうなると、ガイドと補助質量体との垂直抗力が大きくなり、静止摩擦が大きくなる。静止摩擦が大きくなると、軽量な補助質量体がくっついて動かなくなってしまう。
【００８５】
また、本実施例では、磁石ユニットと外ヨークとが一体となり、補助質量体（導体）がその間に挟まれる構成になっている。つまり、磁石ユニット、外ヨーク、プローブシャフトが主質量体となり、補助質量体（導体）と相対的な変位が可能に構成されている。
【００８６】
以上のように構成された第二実施例では、比較的質量の大きい磁石ユニットを軽量にできる。一方で外ヨークやハウジングの質量増加を抑えている。これにより、動吸振器型のプローブを、さらに軽量に構成できるので、プローブシャフトの振動をより一層低減することができる。
【００８７】
また、外ヨークは、外部に漏れる磁場を小さくしているので、プローブの近傍に磁性体が近づいても、プローブシャフトが受ける力を低減することができる。そのため、安定した減衰特性が得られるという効果もある。
【００８８】
≪第三の実施例≫
図３は、本発明のプローブのコイルばねの構成図である（磁石ユニット等は省略して描かれている）。
【００８９】
図３（ａ）では、プローブシャフトと補助質量体３０２とを、軸方向Ａに支持する円錐コイルばね３０４を備える構成としている。図３（ａ）に示したように、円錐コイルばねはプローブシャフト１１に固定されたばね押さえ１０５に対して破線で示したように末広がりに設けられている。
【００９０】
一般的な動吸振器では、ばね部材の質量が問題になることは少ない。しかし、本発明のプローブでは、補助質量体が軽量であるので、ばね部材の質量を無視できなくなる。そのため、ばね部材をさらに軽量にすることが望ましい。
【００９１】
前述の実施例では、ばね部材の一例として、コイルばねを挙げた。円錐コイルばねとの区別を明瞭にするために、コイル直径が両端で等しいコイルばねを、特に円筒コイルばねと呼ぶことにする。コイル直径が両端で異なるコイルばねを円錐コイルばねと呼ぶことにする。
【００９２】
同じ線径のばね線であれば、コイル直径が小さいほどばね定数が高くなる。つまり、コイル直径を小さくすれば、同じばね定数を得るためのばね線の線径を小さくできる。ばね線の線径が小さくなれば、コイルばねを軽量にできる。また、コイル直径が小さければばね線の長さも短くなるので、コイルばねを軽量にできる。
【００９３】
円錐コイルばねは、一端を補助質量体の径とおよそ同じにして補助質量体を支持しつつ、もう一端を補助質量体の径よりも小さくすることができる。例えば、プローブシャフトの外径とおよそ同じにする。こうすれば、両端を補助質量体の径とおよそ同じにした円筒コイルばねに比べて、さらに軽量にできる。
【００９４】
円錐コイルばねは、円筒コイルばねと比較して座屈しにくいという特徴がある。そのため、円筒コイルばねを使う際にばねガイドを使っていたとしても、円錐コイルばねを使うことで、省くことができる。ばねガイドを省くと、プローブを全体としてさらに軽量にできるため、プローブシャフトの振動をより一層低減することができる。
【００９５】
図３（ｂ）では、導体であって、かつ非磁性体の部材４０２ａとコイルばね４０４との間にスペーサ４０２ｂを挟み、補助質量体４０２としている。または、４０２ａと４０２ｂを一体に製作しても良い。そして、コイルばねのコイル径を、プローブシャフトよりも大きくし、補助質量体よりも小さくする。このように構成すると、補助質量体の径とおよそ同じにしたコイルばねに比べて、コイル径を小さくできるので、さらに軽量にできる。スペーサの材料として、プラスチック材などの軽量な材料を採用すれば、補助質量体の質量増加を抑えることができる。
【００９６】
また、プローブシャフト自体をばねガイドとして機能させることもできるので、追加のばねガイドを省くことで、さらに軽量にできる。
【００９７】
以上のように、ばね部材をさらに軽量にできる。よって、動吸振器型のプローブを、さらに軽量に構成できるので、プローブシャフトの振動をより一層低減することができる。
【００９８】
図３（ｃ）では、補助質量体５０２の外側にフランジが設けられており、フランジでコイルばねを支持する構成としている。
【００９９】
コイルばねは少なくとも２巻きから３巻きのらせん状に形作られる。コイルばねの長さを短くし過ぎるとコイルばねのばね線が互いに密着してばねとして働かなくなってしまう。そのため、ある程度の長さが必要になる。一方で、プローブシャフトは短いほど軽量になるが、コイルばねの長さは、プローブシャフトを短くする際の制約になる。フランジでコイルばねを支持する構成とすることで、コイルばねを補助質量体に組み付けた際の全体の長さを短くできる。これにより、プローブシャフトを短くする際の制約が緩和される。
【０１００】
以上のように、プローブシャフトを軽量にできる。よって、動吸振器型のプローブを、さらに軽量に構成できるので、プローブシャフトの振動をより一層低減することができる。
【０１０１】
図４は、本発明のプローブの補助質量体の構成図である。
【０１０２】
補助質量体は、その円周を渦電流が流れるので、磁石ユニットの外周を一周する筒状の形状でなければならない。しかし、補助質量体をさらに軽量にしていくと、補助質量体が薄くなり過ぎて、必要な強度を保てない可能性が生じる。必要な強度とは、渦電流によって生じる力やばね部材の伸縮によって生じる力、あるいは外部からの力で変形しないほどの強度である。
【０１０３】
そこで、補助質量体６０２を、内側に銅６０２ａ、外側にアルミニウム６０２ｂの二体構造にする。
【０１０４】
銅は、重いが、電気抵抗率が小さいという特徴がある。電気抵抗率は小さいほど渦電流が流れやすく、高効率な磁気ダンパにできる。アルミニウムは、銅に比べて電気抵抗率が大きいが、比剛性が良好である。そのため、軽量のまま、必要な強度を保つことができる。
【０１０５】
磁束密度の高い空間に位置する補助質量体の内側に銅を使い、渦電流を流れやすくする。外側にアルミニウムを使うことで、軽量のまま必要な強度を保つ。銅は接着剤で貼り合わせたり、メッキ処理でくっつけたりすることができる。このように補助質量体の一部が銅あるいはアルミニウムで構成されてもよい。
【０１０６】
以上のように、渦電流が流れやすく、かつ、軽量で必要な強度を保つことができる補助質量体とすることができる。よって、動吸振器型のプローブを、さらに軽量に構成できるので、プローブシャフトの振動をより一層低減することができる。
【０１０７】
図５は、本発明の形状測定装置の構成図である。
【０１０８】
本発明の形状測定装置は、被測定面にプローブを接触させて走査するとともに、前記プローブの位置を計測することで前記被測定面の形状を計測する。そのプローブが前述した各実施形態にて例示されたプローブである。
【０１０９】
プローブ１０の先端を、被測定物２０の被測定面２０ａに接触させる。被測定物は、ワークステージ２１に搭載されている。ワークステージは、除振台等に載せて、床面からの振動を低減すると良い。
【０１１０】
プローブシャフトを板ばねで吊っているプローブハウジングを、プローブステージ３０に取り付ける。プローブステージは、Ｚ方向に駆動する。ここでは、プローブシャフトの軸方向Ａと、プローブステージのＺ方向をおよそ等しくなるように取り付ける。プローブステージは、走査ステージ３１に取り付いており、ＸＹ方向の２軸、もしくはどちらか１軸に駆動する。
【０１１１】
プローブシャフトの後端のＺ方向の位置情報と、プローブステージのＺ方向の位置情報は、レーザー測長器などで測定され、演算器３２に取り込まれる。演算器は、プローブシャフトの挙動に基づいて、被測定面の形状を表した測定データを計算し、不図示の記憶器に記憶する。記憶器は、装置に備え付けられていても良いし、コンピュータネットワークでつながった外部にあっても良い。また、必要に応じて、測定データをモニタに表示したり、紙に印字したりする。
【０１１２】
さらに、演算器は、プローブシャフトのＺ方向の位置情報と、プローブステージのＺ方向の位置情報との偏差を計算し、偏差が一定になるように、プローブステージに駆動信号を送る。プローブステージは、駆動信号に基づいてＺ方向に駆動する。ここで「一定になるように」とは「指定の目標値に逐次近づけるように」の意味である。すなわち、プローブステージは、プローブシャフトとプローブステージとのＺ方向の偏差を目標値に近づけるように制御されている。この偏差が一定に保たれれば、プローブの板ばね１４ａ、１４ｂのたわみ量も一定になり、ひいては一定の測定力がプローブシャフトに加わることになる。
【０１１３】
しかしながら、実際には、プローブステージは、プローブに比べて重く、動作性能が劣るため、比較的大きな振動が生じることがある。ただし、板ばねのばね定数を十分に小さく設定しておけば、プローブシャフトとプローブステージのとのＺ方向の偏差が多少大きくなっても測定力の変化は小さいままである。測定中に測定力が大きく変化しないので、高精度な測定を行うことができる。
【０１１４】
プローブシャフト１１の形状としては棒状の形状について説明した。この他に、２本の棒状のシャフトを直角に接続して、Ｌ字状の形状とすることもできる。この場合は、後端側のシャフトに回転軸受機構を備え、回転軸受機構を中心に回転するように構成する。回転量に応じた力が発生するようにばね機構を備える。後端の回転角から、プローブシャフト先端の揺動を推定し、被測定面の形状を表した測定データを作成する。
【０１１５】
動吸振器を被測定面に接触する先端側のシャフトに備えれば、棒状のプローブシャフトと同様に働き、振動を低減することができる。
【０１１６】
上述の各実施形態にて例示された動吸振器が持つべき特性を以下に順を追って詳しく説明する。
【０１１７】
まず、動吸振器の同調周波数を定める。プローブで被測定面を走査すると、プローブシャフトのたわみ等が原因になり、特定の周波数が主因となって振動する。この主因となる周波数を共振周波数と呼ぶ。共振周波数は、被測定面の傾斜角に応じて変わる。プローブの構成によって差異はあるが、被測定面の傾斜角が７０度付近で約１８０Ｈｚの共振周波数である場合には、動吸振器の同調周波数を１８０Ｈｚに定める。
【０１１８】
次に、プローブの可動部（板ばねで吊っている部分）の質量を３ｇとして、「補助質量体の質量」／「主質量体の質量」の比を０．１２と仮決めする。この場合、主質量体が２．７ｇ、補助質量体が０．３ｇになる。
【０１１９】
動吸振器のばね定数、ダンパ定数を所望の値に仮決めする。
【０１２０】
続いて、ばね部材を設計する。ばね部材としてコイルばねを使う場合、ばね線の材料、ばね線の線径、コイル径、巻数を変えて、所望のばね定数に調整する。
【０１２１】
磁気ダンパを設計する。磁気ダンパの設計は、有限要素法で、磁石ユニット、導体、外ヨークの形や配置を変えて、所望のダンパ定数に調整する。
【０１２２】
例えば、プローブシャフトの外径がΦ２．６ｍｍの場合を考える。磁石ユニットは、内ヨークを介して２つのネオジム磁石を同じ磁極が対向するように接着する。有限要素法で計算すると、磁束密度が導体の中央付近で約０．７Ｔとなった。
【０１２３】
この時、磁石ユニットの質量は０．３ｇ、補助質量体（導体）の質量は０．３ｇと軽量な磁気ダンパを構成できる。
【０１２４】
プローブシャフトの内部に磁気ダンパを組み込む方法では、プローブシャフトの剛性と磁気ダンパの減衰特性とがトレードオフの関係にあり、プローブシャフトの剛性を保ったまま、軽量な磁気ダンパを構成することが難しかった。本発明の構成により、一例として、プローブシャフトの外径をΦ２．６ｍｍとして、十分に剛性を保ったまま、可動部の質量が３ｇと軽量な構成で、磁気ダンパを使った動吸振器型のプローブを実現することができた。
【０１２５】
図６は、本発明のプローブの減衰係数を示す図である。
【０１２６】
前述したようにプローブシャフトの主因の振動の共振周波数は、被測定面の傾斜角に応じて変わる。そこで、共振周波数を変えて、それぞれの共振周波数におけるプローブシャフトの挙動をシミュレーションで計算した。そして、プローブシャフトの挙動から、磁気ダンパを使った動吸振器型のプローブの減衰係数を計算した。減衰係数は、速度に比例した抵抗力の係数を表し、単位はＮｓ／ｍである。減衰係数が高いほど、減衰特性が良好であることを示している。横軸に共振周波数、縦軸に減衰係数として、計算した値を結んだ減衰係数曲線Ｃ１をプロットする。
【０１２７】
動吸振器の同調周波数を一例として１８０Ｈｚとして設計した。１８０Ｈｚ付近で最大の減衰係数０．７９Ｎｓ／ｍが得られた。１８０Ｈｚは、７０度付近の共振周波数であるので、７０度付近を走査する際の振動を低減しやすいことを示している。１８０Ｈｚよりも周波数を高くすると、減衰係数は低下するが、６００Ｈｚ付近で減衰係数０．１７Ｎｓ／ｍが得られた。これは、１０度付近を走査する際にも振動を低減する効果があることを示している。
【０１２８】
ここで、被測定面２０ａの測定最小横幅を０．１ｍｍと仮定する。プローブを１ｍｍ／ｓで走査すると、０．１ｍｍを走査するのに０．１ｓかかる。０．１ｓは、１０Ｈｚに相当する。図６によると、１００Ｈｚ以下の減衰係数は０．０３Ｎｓ／ｍ以下である。これは、１００Ｈｚ以下の振動を低減する特性が小さいことを示している。つまり、１０Ｈｚ以下の被測定面の形状にはよく追従することを示しており、１ｍｍ／ｓで走査した場合、横幅０．１ｍｍのうねり形状によく追従することができる。
【０１２９】
このように、被測定面の形状に追従するために低い周波数の振動には反応せずに、測定誤差となる高い周波数の振動のみを減衰するのは、本実施形態にそれぞれ例示された動吸振器の大きな特徴である。
【０１３０】
一方で、プローブシャフトとプローブハウジングとの間にダンパを取り付けるような従来の構成は、低い周波数の振動も減衰してしまうので、被測定面の形状への追従性を損ねてしまうという問題を内包している。以上より、本実施形態に例示される動吸振器の特性は、プローブの構成要素として好ましい特性であると言える。
【０１３１】
図７は、本発明のプローブの効果を実験で示した図である。
【０１３２】
図７（ａ）は、動吸振器を取り付けていないプローブの振動波形Ｖａを示している。図７（ｂ）は、本発明の構成による動吸振器型のプローブの振動波形Ｖｂを示している。どちらも、プローブをばね部材に取り付けてインパルス加振した際の減衰振動の振動波形をプロットした。共振周波数はおよそ２００Ｈｚとしている。
【０１３３】
図７（ａ）によると、多少減衰しているものの、振動が十分に収束するまでには長い時間がかかることがわかる。。この場合の減衰係数は、０．０３Ｎｓ／ｍ以下である。
【０１３４】
図７（ｂ）によると、インパルス加振後、急峻に減衰し、時刻１４ミリ秒で振幅が１０％（約１０ｎｍ）になった。この場合の減衰係数は、０．６９Ｎｓ／ｍである。
【０１３５】
このように、本発明の構成による動吸振器型のプローブは、動吸振器を取り付けていないプローブに比べて、高い減衰特性を有している。また、補助質量体の質量が０．３ｇと非常に軽量であるにも関わらず、振幅１０ｎｍ以下まで急峻に減衰していることから、軽量な補助質量体の微小な慣性力にも反応することが示された。
【０１３６】
以上で説明した動吸振器は、ダイナミックダンパや質量ダンパ（マスダンパ）と呼ばれることもある。プローブは、スタイラスや触針子、フィーラーと呼ばれることもある。
【符号の説明】
【０１３７】
１０  プローブ
１１  プローブシャフト
２０  被測定物
２０ａ  被測定面
３０  プローブステージ
３１  走査ステージ
３２  演算器
１０１  磁石ユニット
１０２  補助質量体
１０３ａ、１０３ｂ  ガイド
１０４  ばね部材
１０５  ばね押さえ
２０６  外ヨーク
２０５  ハウジング
Ｃ１  減衰係数曲線
Ｖａ、Ｖｂ  減衰波形
【図１】
0006552331.tif 000002
【図２】
0006552331.tif 000003
【図３】
0006552331.tif 000004
【図４】
0006552331.tif 000005
【図５】
0006552331.tif 000006
【図６】
0006552331.tif 000007
【図７】
0006552331.tif 000008
【図８】
0006552331.tif 000009